(57)【要約】【課題】  大きな磁石を用いてもロックが解除できず、信頼性が向上した盗難防止装置を提供する。【解決手段】  盗難防止器具10と解除装置7とからなり、盗難防止器具10は、ケーシング1と、ケーシング1に挿入されるスライダ2と、ケーシング1に設けられた係止部5と、スライダ2に設けられ係止部5と係合する係合部22と、を有し、スライダ2はケーシング1に対して挿入方向には移動可能で、取り外す方向には解除装置7を用いない限りロック状態となり、係止部5は、磁石71により係合部22との係合が解除する方向に移動可能であり、ケーシング1の裏面に磁石により吸着できないように空隙を有するリブ18,19が設けられ、解除装置7にリブ18,19を収容する溝部76と、この溝部76にリブ18,19が嵌め込まれた状態でケーシング1の裏面の所定の位置に臨む磁石71,71とを有し、磁石71,71により、係止部5が係合部22との係合が解除する方向に移動するように構成した。【選択図】図１９
2015185114.tif 000002
【特許請求の範囲】
【請求項１】
盗難防止器具と解除装置とからなる盗難防止装置において、
前記盗難防止器具は、ケーシングと、ケーシングに挿入されるスライダと、前記ケーシングに設けられた係止部と、前記スライダに設けられ前記係止部と係合する係合部と、を有し、前記スライダはケーシングに対して挿入方向には移動可能で、取り外す方向には解除装置を用いない限りロック状態となり、
前記係止部は、磁石により前記係合部との係合が解除する方向に移動可能であり、前記ケーシングの裏面に磁石により吸着できないように空隙を有するリブが設けられ、
前記解除装置にリブを収容する溝部と、この溝部に前記リブが嵌め込まれた状態で前記ケーシングの裏面の所定の位置に臨む磁石とを有し、前記磁石により、前記係止部が前記係合部との係合が解除する方向に移動することを特徴とする盗難防止装置。
【請求項２】
前記ケーシングは、一端と上面が開放され、前記ケーシングの上面部には、縁部が設けられ、前記スライダは、前記縁部の下面と当接する段部が設けられた脚部を有し、この脚部は前記ケーシングの底面と縁部との間に嵌まり込み、前記スライダをケーシングに挿入するとケーシングの上面と一端を閉塞することを特徴とする請求項１に記載の盗難防止装置。
【請求項３】
前記スライダの脚部に沿って一対の鋸歯状の係合部が設けられ、前記ケーシングに前記一対の係合部に対応する一対の腕部とその腕部に設けられた爪部とからなる係止部が設けられ、前記腕部の先端部には柱部が設けられ、この柱部に磁石に吸着される磁性部材が設けられていることを特徴とする請求項１また２に記載の盗難防止装置。
【請求項４】
前記ケーシングの端部と前記係止部の磁性部材と磁性部材との間に位置するケーシングの裏面にリブが設けられていることを特徴とする請求項３に記載の盗難防止装置。
【発明の詳細な説明】
【技術分野】
【０００１】
この発明は、店内に展示された商品が万引き等を行う不正者により窃盗され、店外に持ち出されることを未然に防ぐための盗難防止装置に関するものである。
【背景技術】
【０００２】
従来、種々の店舗においては、展示商品の盗難を防止するため、各商品に防犯タグを貼着している。そこで、防犯タグを貼着したまま商品を店外に持ち出そうとすると、出入り口ゲートに設置された検知装置が警報を発し、盗難を防止する。
【０００３】
しかしながら、通常、防犯タグは、粘着剤により商品に貼着されており、防犯タグを剥がすことができ、店外に持ち出す前に商品から防犯タグを剥がし、廃棄されてしまうと、盗難防止の効果がない。また、粘着材が強いとレジカウンター等で店員が防犯タグを剥がすときに、商品からきれいに剥がれないという問題もある。
【０００４】
このため、商品に防犯タグを取り付けるための防犯タグ取付装置として、例えば、防犯タグを収納した取付体を商品の表面に載せた状態で、商品の裏面から頭付のピンを商品に突き刺して貫通させ、このピンの先端を取り付け体に抜け止め状に挿入ロックするように構成したものが提案されている（特許文献１参照）。
【０００５】
そこで、防犯タグをケーシングの内部に設けた盗難防止器具を商品に取り付け、解除装置により、盗難防止器具を商品から取り外すようにしたものが提案されている。例えば、特許文献１には、吊り下げ用商品包装体の吊り下げ用孔に盗難防止器具を取り付けるようにした商品盗難防止装置が提案されている。
【０００６】
前記取付体は、ピンを受け入れるキャビティの周囲に締着手段を配置し、キャビティに挿入されたピンの先端部を締着手段により掴むように構成されており、取り付け体の底部に磁石を臨ませると、前記締着手段が拡がることにより、キャビティからピンを抜き取ることができるように構成されている。
【０００７】
このような防犯タグ取付装置は、正当な顧客が商品を購入するときは、レジカウンター等において、店員が磁石を備えたアンロック装置を取り付け体の底部に臨ませることにより、ピンを取り付け体から抜き取り、防犯タグ取り付け装置を外した後、顧客に商品が引き渡される。
【０００８】
しかしながら、上記の装置においては、万引き等の不正者が磁石を持参して来店すると、１個の磁石を取付体の底部に臨ませるだけで、簡単にピンが抜き取られ、防犯タグ取り付け装置を商品から取り外すことができるので、盗難防止の実効性が極めて低い。
【０００９】
そこで、１個の磁石で簡単にロックが解除されないようにした盗難防止装置が提案されている（特許文献２参照）。この盗難防止装置は、ブザータグのロック装置と、その解除装置から成り、前記ロック装置は、筐体と、この筐体内へ挿脱自在に設けられたスライダと、このスライダの側面へ略直角方向に付勢されるとともに着磁性を有する複数個のロックピンと、前記スライダに設けられるとともに前記ロックピンに係合する係止部を設け、前記スライダの前記筐体への挿入により、前記ロックピンが前記係止部に係合して、前記スライダの挿入状態を保持するとともに、この挿入状態の解除は、前記各々のロックピンを外部の磁力により吸引して前記スライダとの係合を解除するものであり、前記ロックピンの設けられた位置に対応するとともに、不透明の筐体内に設けられた磁石を有する前記解除装置とで構成したものである。
【００１０】
この盗難防止装置により、１個の磁石で簡単にロックが解除できず、信頼性が向上する。
【先行技術文献】
【特許文献】
【００１１】
【特許文献１】特許第４２５２７１３号公報
【特許文献２】特開平１０−２２８５９０号公報
【発明の概要】
【発明が解決しようとする課題】
【００１２】
しかしながら、上記した複数個のロックピンを備えた装置においても、ある程度面積が大きな磁石を用いれば、ロックピンが解除されることがあった。
【００１３】
そこで、この発明は、大きな磁石を用いてもロックが解除できず、信頼性が向上した盗難防止器具を提供することを課題とする。
【課題を解決するための手段】
【００１４】
前記の課題を解決するために、この発明は、盗難防止器具と解除装置とからなる盗難防止装置において、前記盗難防止器具は、ケーシングと、ケーシングに挿入されるスライダと、前記ケーシングに設けられた係止部と、前記スライダに設けられ前記係止部と係合する係合部と、を有し、前記スライダはケーシングに対して挿入方向には移動可能で、取り外す方向には解除装置を用いない限りロック状態となり、前記係止部は、磁石により前記係合部との係合が解除する方向に移動可能であり、前記ケーシングの裏面に磁石により吸引できないように空隙を有するリブが設けられ、
前記解除装置にリブを収容する溝部と、この溝部に前記リブが嵌め込まれた状態で前記ケーシングの裏面の所定の位置に臨む磁石とを有し、前記磁石により、前記係止部が前記係合部との係合が解除する方向に移動するように構成したものである。
【００１５】
前記ケーシングは、一端と上面が開放され、前記ケーシングの上面部には、縁部が設けられ、前記スライダは、前記縁部の下面と当接する段部が設けられた脚部を有し、この脚部は前記ケーシングの底面と縁部との間に嵌まり込み、前記スライダをケーシングに挿入するとケーシングの上面と一端を閉塞するように構成することができる。
【００１６】
また前記スライダの脚部に沿って一対の鋸歯状の係合部が設けられ、前記ケーシングに前記一対の係合部に対応する一対の腕部とその腕部に設けられた爪部とからなる係止部が設けられ、前記腕部の先端部には柱部が設けられ、この柱部に磁石に吸引される磁性部材を設けるとよい。
【００１７】
また、前記ケーシングの端部と前記係止部の磁性部材と磁性部材との間に位置するケーシングの裏面にリブを設けるとよい。
【発明の効果】
【００１８】
上記したように、この発明においては、ケーシングの係止部の底面にリブが設けられているので、リブの上に磁石を載せた状態では、係止部の吸引が防止される。このため、万引きを行おうとする者が底面を覆うような大きさの磁石を用いてもロックを解除することができず、防犯効果に優れた盗難防止装置を提供することができる。
【図面の簡単な説明】
【００１９】
【図１】この発明の第１の実施形態に係る盗難防止器具を示す斜視図である。
【図２】この発明の第１の実施形態に係る盗難防止器具を示す平面図である。
【図３】この発明の第１の実施形態に係る盗難防止器具を示す正面図である。
【図４】この発明の第１の実施形態に係る盗難防止器具を示す側面図である。
【図５】この発明の第１の実施形態に係る盗難防止器具を示す底面図である。
【図６】図２のＡ−Ａ線断面図である。
【図７】この発明の第１の実施形態に係る盗難防止器具のケーシングを示す上面図である。
【図８】この発明の第１の実施形態に係る盗難防止器具のスライダを示す底面図である。
【図９】図７のＢ−Ｂ線断面図である。
【図１０】この発明の第１の実施形態に係る盗難防止器具のスライダを移動させた状態の斜視図である。
【図１１】この発明の第１の実施形態に係る盗難防止器具の分解斜視図である。
【図１２】この発明の第１の実施形態に係る盗難防止器具を吊り下げ用商品包装体に装着する状態を示す断面図である。
【図１３】この発明の第１の実施形態に係る盗難防止器具を吊り下げ用商品包装体に装着した状態を示す斜視図である。
【図１４】この発明の第１の実施形態に係る盗難防止器具を解除装置でロックを解除する状態を示す斜視図である。
【図１５】この発明の第１の実施形態に係る盗難防止器具を解除装置でロックを解除する状態を示す斜視図である。
【図１６】この発明の第１の実施形態に係る盗難防止器具の係止部の拡大断面図である。
【図１７】この発明の第１の実施形態に係る盗難防止器具の係止部と係合部の拡大断面図である。
【図１８】この発明の第１の実施形態に係る盗難防止器具を解除装置でロックを解除する状態を示す断面図である。
【図１９】この発明の第１の実施形態に係る盗難防止器具を不正な磁石で解除しようとする状態を示す断面図である。
【図２０】この発明の第２の実施形態に係る盗難防止器具を示す断面図である。
【図２１】この発明の第２の実施形態に係る盗難防止器具のスライダを示す底面図である。
【図２２】この発明の第１の実施形態に係る盗難防止器具を不正な磁石で解除しようとする状態を示す断面図である。
【図２３】この発明に係る盗難防止器具をボトルに取り付ける状態を示す斜視図である。
【図２４】この発明に係る盗難防止器具をボトルに取り付けた状態を示す斜視図である。
【図２５】この発明に係る盗難防止器具をボトルに取り付ける状態を示す斜視図である。
【図２６】この発明に係る盗難防止器具をボトルに取り付けた状態を示す斜視図である。
【図２７】この発明の第３の実施形態に係る盗難防止器具を示す斜視図である。
【図２８】この発明の第３の実施形態に係る盗難防止器具を示す断面図である。
【図２９】この発明の第３の実施形態に係る盗難防止器具を解除装置でロックを解除する状態を示す断面図である。
【図３０】この発明の第３の実施形態に係る盗難防止器具を不正な磁石で解除しようとする状態を示す断面図である。
【図３１】この発明の第３の実施形態に係る盗難防止器具を不正な磁石で解除しようとする状態を示す断面図である。
【発明を実施するための形態】
【００２０】
以下、この発明を実施するための形態を添付図面に基づいて説明する。
この発明に係る盗難防止器具は、図１３に示すように、吊り下げ用商品包装体への装着、図２４、図２６に示すように、ボトルへの装着等種々の商品形態に装着して使用される。
【００２１】
この発明の第１の実施形態に係る盗難防止器具を図１〜図１９に従い説明する。
【００２２】
図１３に示すように、商品包装体６は台紙等の保形シート６０の正面側に収納室６１を設けたブリスターパックが例示されており、前記収納室６１に商品６３を収納し、保形シート６０のヘッダー部６４に設けた取り付け孔６２に陳列ロッド（図示しない）を挿入することにより、吊り下げられて陳列されるように構成されている。尚、図示はしていないが、通常、前記保形シート６０の背面側には、商品の機能や使用方法等の商品情報が印刷等により施されている。
【００２３】
この盗難防止装置は、盗難防止器具１０と解除装置７とからなり、盗難防止器具１０は、商品包装体６の取り付け孔６２に取り付けられる。解除装置７はレジカウンター等の店舗内で店員等の責任者の管理下に置かれ、後述するように、盗難防止器具１０を解除装置７の所定の場所に置くことで、盗難防止器具１０のロックが解除される。
【００２４】
図１〜図１１に示すように、盗難防止器具１０は、商品包装体６に取り付けられるロック用部材３と、ケーシング１と、ケーシング１に挿入されるスライダ２を有する。ロック用部材３には、陳列ロッドが挿入される吊り下げ用の孔３５が設けられた摘み部３２に連接して設けられている。盗難防止器具１０は、樹脂成型により矩形状に形成され、ケーシング１の上部からロック用部材３が立設する。
【００２５】
ロック用部材３の先端部には、摘み部３２が設けられている。ロック用部材３をケーシング１に嵌め込み、スライダ２でロック用部材３をロックした状態では、ケーシング１、スライダ２の上面とロック用部材３の摘み部３２との下面との間には、商品包装体６のヘッダー部６４の厚み以上の隙間が形成されるように構成されている。
【００２６】
また、摘み部３２は、商品包装体６の取り付け孔６２より大きな形状に形成され、取り付け孔６２にロック用部材３を挿入し、ケーシング１に嵌め込み、スライダ２でロック用部材３をロック状態とすると、商品包装体６から盗難防止器具１０が取り外されないように構成されている。
【００２７】
図６、図７、図１０及び図１１に示すように、ロック用部材３は、ケーシング１に設けられた上部から見てＵの字状の収納凹所１４に挿入される円柱状の柱部３０が摘み部３２から下方に連接されている。この柱部３０には、溝部３１が円周に沿って設けられている。
【００２８】
図６及び図８に示すように、ケーシング１に挿入されるスライダ２は、ロック用部材３の柱部３０に当接するＵ字状の切り欠き部２４が設けられ、この切り欠き部２４の下方部に溝部３１に嵌まり込む鍔部２３が設けられている。スライダ２は、ケーシング１の上部の縁部１３の下面と当接する段部２１が設けられ、段部２１に脚部２５が設けられている。この脚部２５と段部２１がケーシング１の底面１６と縁部１３の間に嵌まり込み、ケーシング１にスライダ２が挿入される。スライダ２の端部２６は、ケーシング１の外周を覆うように形成され、スライダ２をケーシング１に完全に嵌め込むと、ケーシング１の端部１７に当接し、ケーシング１が蓋をされたような状態となる。
【００２９】
スライダ２の上板２７のケーシング１側には、防犯タグ４の取付部２７ａが設けられ、この取付部２７ａに防犯タグ４が貼り付けられる。ケーシング１にスライダ２を挿入し、ケーシング１にスライダ２を取り付けると、防犯タグ４は、ケーシング１内に収容された状態となり、外部から剥離することができなくなる。
【００３０】
尚、この実施形態では、防犯タグ４をスライダ２に取り付けているが、防犯タグ４を取り付けずに、盗難防止器具１０を用いることもできる。この場合、店舗の出入口に設置した検知ゲートにより、警報音等が鳴らすことはできないが、盗難を行う者には、防犯タグ４の有無は分からず、盗難防止器具１０が商品包装体６に取り付けられた状態では、そのまま商品包装体６を店舗外に持ち出すことに不正感や警報が鳴るかもしれないという危機感を抱かせることにより、盗難を抑制することができる。従って、全ての盗難防止器具１０に防犯タグ４を取り付けず、必要最小限の数だけ防犯タグ４を取り付けて店舗に商品を展示しても盗難防止の効果が得られ、コストを削減することが可能となる。
【００３１】
スライダ２の脚部２５に沿って、スライダ２の略中央部までケーシング１に取り付けた係止部５と係合する一対の係合部２２が設けられている。
【００３２】
この係合部２２は、鋸歯状に形成され、後述するように、係止部５に対してスライダ２をケーシング１に対して挿入する方向には移動可能で、取り外す方向には、解除装置７を用いない限りロック状態になるように構成されている。
【００３３】
ケーシング１の収納凹所１４にロック用部材３の柱部３０を挿入し、スライダ２をケーシング１に挿入し、スライダ２をロック用部材３の柱部３０に当接するまで移動させると、ロック用部材３の溝部３１にスライダ２の鍔部２３が嵌まり込み、ロック用部材３の取り外しが禁止され、ロック状態となる。ロック用部材３を抜くためには、解除装置７により、係合部２２と係止部５との係合を解除して、スライダ２を移動させ、ロック用部材３の溝部３１とスライダ２の鍔部２３との嵌合を解除する。
【００３４】
図７、図９及び図１６に示すように、ケーシング１は、矩形形状であり、一方の端部側に収納凹所１４が設けられ、他方の端部及び上部は開放されている。一方の端部側には、陳列ロッド６６が挿入される吊り下げ用の孔１２を設けた突出片１１が設けられている。他方の端部側には、スライダ２の係合部２２と係合する係止部５が設けられている。この係止部５は、一対の係合部２２に対応して、爪部５１を有する腕部５０が一対設けられている。爪部５１は、一端部側から他端部側に向かってテーパー状の三角爪に形成され、スライダ２をケーシング１に対して挿入する方向には移動可能で、取り外す方向には係合部２２に食い込む方向に力が加わり移動を禁止する。
【００３５】
図１６に示すように、腕部５０の先端部には、柱部５２が設けられ、この柱部５２の下端には磁性部材としての金属製の円板５２ａが設けられている。腕部５０の根元部は薄肉状にしたヒンジ部５０ａが形成され、腕部５０が下方に移動可能に構成されている。
【００３６】
また、ケーシング１の底面１６の前記円板５２ａと対向する位置に凹所１５が設けられている。図１７に示すように、係止部５に対してスライダ２をケーシング１に対して挿入する方向には、鋸歯状の係合部２２は、爪部５１を乗り越え、腕部５０を撓ませ、円板５２ａが凹所１５内に入り込み、スライダ２が移動する。
【００３７】
ケーシング１の裏面に、係止部５と係合部２２との係合を解除することを防止するために、ケーシング１の端部と係止部５の円板５２ａと円板５２ａとの間に位置する箇所にリブ１８、１９を設けている。後述するように、このリブ１８、１９に当接した状態で、強力な磁石を接触させたとしても、リブ１９、１９による間隙で、円板５２ａが磁石により吸引できないようになっている。このため、ロックを解除するためには、リブ１８、１９を収容した状態でケーシング１の裏面に磁石が臨むようにした解除装置７が用いられる。
【００３８】
係合部２２と係止部５との係合を解除してロックを解除する場合には、解除装置７に設けられた２つの磁石７１、７１をケーシング１の裏面に接触させることにより、円板５２ａを吸引し、腕部５０を撓ませ、円板５２ａを凹所１５内に移動させ、係合部２２と係止部５の爪部５１との係合を解除し、スライダ２の移動を可能とする。
【００３９】
次に，この実施形態の盗難防止器具１０の商品包装体６への取り付けにつき、図１１及び図１２を参照して説明する。
【００４０】
図１１及び図１２（ａ）に示すように、ケーシング１にスライダ２を装着し、ケーシング１の収納凹所１４が見える状態し、収納凹所１４と商品包装体６の取り付け孔６２の位置を合わせ、商品包装体６のヘッダー部６４の裏面側にケーシング１とスライダ２を配置する。そして、図１２（ｂ）に示すように、ロック用部材３の柱部３０を取り付け孔６２に通し、ケーシング１の収納凹所１４に嵌め込む。
【００４１】
図１２（ｃ）に示すように、スライダ２をロック用部材３の柱部３０に当接するまで移動させると、ロック用部材３の溝部３１にスライダ２の鍔部２３が嵌まり込み、ロック用部材３の取り外しが禁止され、ロック状態となる。
【００４２】
このようにして、図１３に示すように、商品包装体６の取り付け孔６２を介してこの実施形態の盗難防止器具１０が装着される。商品包装体６の取り付け孔６２には、ロック用部材３が装着されているので、陳列ロッド６６には、ロック部材２に設けられた吊り下げ用の孔３５を用いる。
【００４３】
次に，この実施形態に用いられる解除装置７について、図１４〜図１８を参照して説明する。この実施形態は、解除装置７内に強力な磁石７１を設け、この磁石７１の磁力により、円板５２ａを吸引し、腕部５０を撓ませ、円板５２ａを凹所１５内に移動させ、係合部２２と係止部５の爪部５１との係合を解除するものである。
【００４４】
解除装置７は、図２２に示すように、上面７３の一辺に位置決め用の壁部７２が上面７３から立ち上がるように設けられている。また、この壁部に７２に直交するように位置決め用段部７５が設けられている。この壁部７２と段部７５に盗難防止器具１０を沿わせて位置決めすることにより、係合部２２と係止部５の爪部５１との係合を解除する。上面７３には、下に磁石７１が設けられた位置を示す金属プレート７４が取り付けられている。
【００４５】
この第１の実施形態においては、リブ１８、１９が設けられているので、解除装置７もこのリブ１８、１９に対応するように、上面にリブ１８、１９が挿入される溝７６、７６が設けられておいる。溝７６、７６の間と、この溝７６と壁部７２との間に磁石７１、７１がそれぞれ設けられている。溝７６、７６にリブ１８、１９を挿入し、盗難防止器具１０を所定の位置にセットすることにより、ケーシング１の裏面を磁石７１、７１に臨ませ、ロックが解除するように構成されている。
【００４６】
図１４に示すように、溝７６、７６にケーシング１のリブ１８、１９を嵌め込み、壁部７２、段部７５を基準として、壁部７２と段部７５に盗難防止器具１０を沿わせるように配置すると、２個の磁石７１、７１が係止部５の一対の円板５２ａ、５２ａのそれぞれの下に位置する箇所に配置されるように、２個の磁石７１、７１が解除装置７に取り付けられている。
【００４７】
図１４に示すように、溝７６、７６にケーシング１のリブ１８、１９を嵌め込み、壁部７２、段部７５に沿わして盗難防止器具１０を金属プレート７４のところに係止部５が位置するように配置すると、図１８に示すように、磁石７１、７１の磁力により、それぞれの円板５２ａ、５２ａを吸引し、腕部５０を撓ませ、円板５２ａを凹所１５内に移動させる。この結果、係合部２２と係止部５の爪部５１との係合が解除される。
【００４８】
レジカウンターなどにこの解除装置７を配置し、商品包装体６に装着された盗難防止器具１０ケーシング１のリブ１８、１９を解除装置７の溝７６、７６に嵌め込み、壁部７２、段部７５に沿わして位置決めし、係合部２２と係止部５の爪部５１との係合を解除し、図１５の矢印方向にスライダ２を移動させ、ロック用部材３の溝部３１とスライダ２の鍔部２３との嵌合を解除し、ロック用部材３を抜き取ることにより、商品包装体６から盗難防止器具１０を取り外すことができる。
【００４９】
この第１の実施形態の盗難防止器具１０は、ケーシング１の円板５２ａ臨む側の底面にリブ１８、リブ１９が設けられている。図１９に示すように、リブ１８とリブ１９の上に磁石９０を載せた状態では、円板５２ａ、５２ａの吸引が防止され、ロックが解除できない。また、どちらかのリブをよけて磁石９０をケーシング１の裏に接触させると、磁石９０がケーシング１の底面と接触した箇所の円板５２ａは吸引されるが、他の円板５２ａは吸引することができない。従って、一方の係合部２２と係止部５の爪部５１は係合状態が維持され、ロックを解除することはできない。
【００５０】
このように、この第１の実施形態では、万引きを行おうとするものが磁石を用いてもロックを解除することができず、防犯効果に優れた盗難防止器具を提供することができる。
【００５１】
次に、この発明の第２の実施形態につき図２０〜図２２を参照して説明する。上記した第１の実施形態は、係止部５が爪部５１を有する腕部５０が一対設けられている。これに対して、この第２の実施形態は、リブ１８，１９の間に１つの爪部５１を有する腕部５０からなる係止部５を設けている。このため、スライダ２には、係止部５に対応して１個の係合部２２が設けられている。
【００５２】
この第２の実施形態も図１４に示す解除装置７を用いて、溝７６、７６にリブ１８、１９を嵌め込むことで、ロックを解除することができる。しかし、図２２に示すように、リブ１８とリブ１９の上に磁石９０を載せた状態では、円板５２ａの吸引が防止され、ロックが解除できない。また、第１の実施形態に比べると、リブ１８、１９に磁石を嵌め込めばロックは、解除されるが、リブ１８、１９の間に磁石を嵌め込むのは難しく、万引きを行うことを躊躇させるには十分の効果が得られる。
【００５３】
図１３に示すような商品包装体６であれば、第１、第２の実施形態の盗難防止器具１０のロック用部材３を取り付け孔６２に差し込んで取り付けることができる。しかし、取り付け孔６２がロック用部材３の柱部３０より深い或いは、商品包装体６のヘッダー部６４が商品収納室６１の中央部から出ている場合や、商品がボトルなどの場合には、盗難防止器具１０のロック用部材３がケーシング１の収納凹所１４に取り付けられない場合がある。このような場合には、図２３〜図２６に示すように、バンド８の両端にロック用部材３の柱部３０が挿入される孔部８１、８１を設けたものを用いればよい。即ち、この両端部の孔部８１、８１にロック用部材３の柱部３０を挿入し、柱部３０をケーシング１の収納凹所１４に挿入し、ケーシング１にスライダ２を挿入し、スライダ２の鍔部２３をロック用部材３の溝部３１に嵌め込み、ロック状態にする。なお、このロック用部材３ａは、摘み部３２に吊り下げ用孔を設けていないものを用いているが、吊り下げ用孔を有するロック部材３を用いてもよい。
【００５４】
図３１に示すように、商品包装体６には、バンド８を介して盗難防止器具１０が取り付けられる。このように、バンド８を用いることで、商品包装体６の取り付け孔６２の位置や深さに左右されずに、盗難防止器具１０を装着することができる。
【００５５】
次に、このバンド８を用いた盗難防止器具１０の取り付けについて説明する。図２３、図２４は、酒瓶などボトル９のように、キャップに溝９１を有するものにこの発明の実施形態の盗難防止器具１０を取り付けたものである。
【００５６】
図２３に示すように、バンド８の帯部８０には、キャップの溝９１に対応する突起８３が設けられている。キャップの溝９１にバンド８の突起８３を嵌め込み、バンド８の孔８１と孔８１とを合わせ、この孔部８１にロック用部材３の柱部３０を挿入し、ケーシング１の収納凹所１４にロック用部材３を挿入する。スライダ２をケーシング１に挿入し、スライダ２をロック用部材３の柱部３０に当接するまで移動させると、ロック用部材３の溝部３１にスライダ２の鍔部２３が嵌合し、ロック用部材３の取り外しが禁止され、ボトル９のキャップに盗難防止器具１０が取り付けられる。
【００５７】
図２５、図２６に示す例では、商品又は商品包装体に巻回されるバンド８の一端に前記ロック用部材３の柱部３１が挿入される孔部８１が設けられ、他端に前記ロック用部材３の柱部３０が一体に取り付けられている。ボトル９のキャップ９３の下の首部９２にバンド８を巻回し、バンド８に一体に設けられた柱部をバンド８の一端に設けた孔部８１に挿入して、ボトル９の首部９２にバンド９を取り付けた後、柱部３０をケーシング１の収納凹所１４に挿入し、スライダ２を移動させてロックし、ボトル９に盗難防止器具１０が取り付けられる。
【００５８】
次に，この発明の第３の実施形態につき、図２７〜図３１を参照して説明する。第１、第２の実施形態の盗難防止器具１０では、ケーシング１の裏面にリブ１８、１９を設けているが、この第３の実施形態は、円板５２ａ、５２ａの間に位置する箇所に１つのリブ１９を設けたものである。
【００５９】
円板５２ａ、５２ａの間に位置する箇所に１つのリブ１９を設けることで、図３０に示すように、リブ１９の上に磁石９０を載せて斜めに磁石を配置した状態では、円板５２ａ、５２ａの吸引が防止され、ロックが解除できない。また、図３１に示すように、どちらかのリブをよけて磁石９０をケーシング１の裏に接触させると、磁石９０が接触した箇所の円板５２ａは吸引されるが、他の円板５２ａは吸引することができない。従って、一方の係合部２２と係止部５の爪部５１は係合状態が維持され、ロックを解除することはできない。
【００６０】
このように、この第３の実施形態では、万引きを行おうとするものが磁石を用いてもロックを解除することができず、防犯効果に優れた盗難防止器具を提供することができる。
【００６１】
ところで、この第３の実施形態においては、リブ１９が設けられているので、解除装置７もこの１つの１９に対応したものを用意する。
【００６２】
図４２に示すように、上面にリブ１９が挿入される溝７６が設けられ、この溝７６、７６にリブ１８、１９を挿入して、ケーシング１の裏面を磁石７１、７１に近づけ、ロックを解除するように構成している。
【符号の説明】
【００６３】
１      ケーシング
２      スライダ
３      ロック用部材
３ａ    突出片
４      防犯タグ
５      係止部
６      商品包装体
７      解除装置
８      バンド
１０    盗難防止器具
１１    突出片
１２    孔
１２    取り付け孔
１３    縁部
１４    収納凹所
１５    凹所
１６    底面
１７    端部
１８    リブ
１９    リブ
２１    段部
２２    係合部
２３    鍔部
２４    切り欠き部
２５    脚部
２６    端部
２７    上板
２７ａ  取付部
３０    柱部
３１    溝部
３２    摘み部
３５    孔
５０    腕部
５０ａ  ヒンジ部
５１    爪部
５２    柱部
５２ａ  円板
６０    保形シート
６１    商品収納室
６１    収納室
６２    取り付け孔
６２    孔
６３    商品
６４    ヘッダー部
７５    位置決め用段部
７５    段部
８１    孔部
９０    磁石
【図１】
2015185114.tif 000003
【図２】
2015185114.tif 000004
【図３】
2015185114.tif 000005
【図４】
2015185114.tif 000006
【図５】
2015185114.tif 000007
【図６】
2015185114.tif 000008
【図７】
2015185114.tif 000009
【図８】
2015185114.tif 000010
【図９】
2015185114.tif 000011
【図１０】
2015185114.tif 000012
【図１１】
2015185114.tif 000013
【図１２】
2015185114.tif 000014
【図１３】
2015185114.tif 000015
【図１４】
2015185114.tif 000016
【図１５】
2015185114.tif 000017
【図１６】
2015185114.tif 000018
【図１７】
2015185114.tif 000019
【図１８】
2015185114.tif 000020
【図１９】
2015185114.tif 000021
【図２０】
2015185114.tif 000022
【図２１】
2015185114.tif 000023
【図２２】
2015185114.tif 000024
【図２３】
2015185114.tif 000025
【図２４】
2015185114.tif 000026
【図２５】
2015185114.tif 000027
【図２６】
2015185114.tif 000028
【図２７】
2015185114.tif 000029
【図２８】
2015185114.tif 000030
【図２９】
2015185114.tif 000031
【図３０】
2015185114.tif 000032
【図３１】
2015185114.tif 000033